(57)【要約】【課題】ゴム製のダンパー等の緩衝部材やねじ等の固定部材を使用しないでトラバースユニットをフレームに取り付けて連結するようにし、ディスク装置の部品数を従来より削減してディスク装置のコストダウン及び組み立て作業性の改善を図る。【解決手段】ディスク装置１Ａの樹脂製のフレーム３Ａに一体に、曲がり部（振動吸収用の弾性部）と、該弾性部から延出してトラバースユニット２の基板１１後部を挟持する保持片（当接部）とを有する保持部１２ａ、１２ｂを形成し、保持部１２ａ、１２ｂによりトラバースユニット２の基板１１後部をフレーム３Ａに係止し連結して保持する。【選択図】図１
2007272946.tif 000002
【特許請求の範囲】
【請求項１】
ディスク装置の樹脂製のフレームにトラバースユニットの基板後部を連結して前記トラバースユニットを保持するディスク装置のトラバース保持構造であって、
前記フレームと一体に、振動吸収用の弾性部と、該弾性部から延出して前記トラバースユニットの基板後部に上下方向から当接する当接部とを有する保持部を形成し、
前記保持部により前記トラバースユニットの基板後部を挟持して前記フレームに連結することを特徴とするディスク装置のトラバース保持構造。
【請求項２】
前記保持部が、前記フレームの側面部、後面部のいずれか一方の内面から突出したアーム状に形成されて先端部が前記トラバースユニットの基板後部の上面に当接する上面側保持片と、前記フレームの側面部、後面部のいずれか他方の内面から突出したアーム状に形成されて先端部が前記トラバースユニットの基板後部の下面に当接する下面側保持片とからなり、
前記両保持片それぞれの前記先端部より基部側に前記弾性部としての曲がり部を有することを特徴とする請求項１に記載のディスク装置のトラバース保持構造。
【請求項３】
前記保持部が、前記フレームの後面部の内面から突出した前記弾性部としての基部と、前記基部から前記トラバースユニットの基板後部を上下方向から挟むように延出して前記当接部を形成する上側アーム部及び下側アーム部とからなり、
前記両アーム部が前記トラバースユニットの基板後部の上、下面それぞれに当接することを特徴とする請求項１に記載のディスク装置のトラバース保持構造。
【発明の詳細な説明】
【技術分野】
【０００１】
本発明は、ディスク装置が備えるトラバースユニットの後部をディスク装置の樹脂製筐体のフレームに連結して保持するディスク装置のトラバース保持構造に関する。
【背景技術】
【０００２】
従来、ＤＶＤレコーダ（記録再生装置）やＤＶＤプレーヤ（再生装置）、ＣＤプレーヤ（再生装置）等のディスク装置は、ディスク状記録媒体（以下、単にディスクと称す）の記録再生（又は再生）を行なうため、ディスクの記録再生機構（又は再生機構）としてのトラバースユニットを有する。
【０００３】
このトラバースユニットは、記録再生（又は再生）のピックアップユニット、ディスク回転用のターンテーブル等を主要構成部材として備える。
【０００４】
そして、前記ディスクの記録時又は再生時にはトレイやローラーなどの搬送機構により装置内部へと搬入したディスクを、その記録面側のターンテーブルと、レーベル面側のクランパとにより挟持し、ターンテーブルと連結したモータの駆動力によってディスクをターンテーブル及びクランパと共に回転する。
【０００５】
さらに、回転しているディスクの記録面にピックアップユニットからレーザー光を照射し、その反射光を前記ピックアップユニットにて受光し、ディスクの記録或いは再生を行なう。
【０００６】
ところで、この種のディスク装置の前記トラバースユニットは、周知のように、上述のモータ、ターンテーブル、ピックアップユニット等の主要部品を金属製の基板（シヤーシ）に組み付けてユニット化したものである。
【０００７】
そして、このトラバースユニットの前方にホルダー部材を備えた状態でディスク装置の外観を構成するフレーム内に組み付けられる。フレームに対するトラバースユニットの組み付け構造について詳述すれば、トラバースユニットの基板後部はゴム製のダンパー等の振動緩衝部材を介してフレームに上下動可能に枢支等されて連結されており、トラバースユニットの基板前部は同様のゴム製のダンパー等の振動緩衝部材を介して前記ホルダー部材に取付けられ、このホルダー部材の前方に突出形成した突起部（ボス）がトレイ下部の摺動可能なカム板の溝に嵌入している（例えば、特許文献１参照）。
【０００８】
そして、ディスクを出入り方向（前後方向）に搬送する上述のトレイやローラー等の搬送機構と連動して前記カム板が摺動し、前記搬送機構によってディスク装置内に搬送（搬入）されたディスクがディスク装置内の所定位置に到達すると、前記搬送機構と連動した前記カム板の摺動により、トラバースユニットはフレームに連結された基板後部を支点にして前端側が上動する。
【０００９】
さらに、このトラバースユニットの上動により前記所定位置に到達したディスクの略中央に形成された開口部に前記ターンテーブルがディスクの記録面側（下面側）から嵌合してトラバースユニットがさらに上動し、前記ターンテーブルの上部対向位置の前記クランパが前記ディスクのレーベル面側（上面側）より押圧する状態で前記ディスクを挟持する。
【００１０】
そして、前記トラバースユニットは、フレームに振動緩衝部材を介して支持された状態でディスク装置に組み付けられていることから、外部からの振動がトラバースユニットに伝わることを防止することができると共に、トラバースユニットにおける振動を吸収することができる利点がある。
【００１１】
尚、トラバースユニットにおける振動の発生要因としては、前記ターンテーブルを回転するモータがある。
【００１２】
又、同様のトラバースユニットの取り付け構造として、メカニカルシヤーシ（前記トラバースユニットの基板に相当）の後部を筐体フレームにダンパー（前記振動緩衝部材に相当）を介してピンにて固定して連結する構造も提案されている（例えば、特許文献２参照。）。
【特許文献１】特開２００１−１６７５６７号公報（［０００２］、図９等）
【特許文献２】特開２００１−３５５６７０号公報（［０００２］、図４等）
【発明の開示】
【発明が解決しようとする課題】
【００１３】
前記従来のようにトラバースユニットの基板後部を振動の緩衝部材を介してディスク装置のフレームに連結して保持する構造の場合、トラバースユニットとフレームとの間に振動の緩衝部材が介在することでユニット内外で発生した振動を振緩衝部材によって吸収することはできるが、前記緩衝部材は、通常、ゴム製のダンパーからなり、ディスク装置の構成部材の中でも高価な部品であり、トラバースユニットの前端側の連結だけでなく後部の連結にもそのような高価な部品を用いると、部品コストが高くなる。
【００１４】
そのため、この種ディスク装置の十分なコストダウンが図れない問題がある。
【００１５】
しかも、トラバースユニットを前記緩衝部材としてのゴム製のダンパーを介してフレームに取り付けて固定する締結固定手段としては、ねじが一般的であるが、このような締結固定手段を用いると、トラバースユニットをゴム製のダンパーを挟んでフレームにねじ止めして固定する煩雑な組み立て作業が必要になり、この場合、部品をはめ込むような簡単な作業に比して時間がかかり、組み立て作業性が極めて悪い問題もある。
【００１６】
本発明は、ゴム製のダンパー等の緩衝部材やねじ等の締結固定手段を使用しないでトラバースユニットをフレームに連結して保持するようにし、ディスク装置の部品数を従来より削減してディスク装置のコストダウンを図ると共に組み立て作業性の改善を図ることを目的とする。
【課題を解決するための手段】
【００１７】
上記の目的を達成するために、本発明のディスク装置のトラバース保持構造は、ディスク装置の樹脂製のフレームにトラバースユニットの基板後部を連結して前記トラバースユニットを保持するディスク装置のトラバース保持構造であって、前記フレームと一体に、振動吸収用の弾性部と、該弾性部から延出して前記トラバースユニットの基板後部に上下方向から当接する当接部とを有する保持部を形成し、前記保持部により前記トラバースユニットの基板後部を挟持して前記フレームに連結することを特徴としている（請求項１）。
【００１８】
そして、前記保持部が、前記フレームの側面部、後面部のいずれか一方の内面から突出したアーム状に形成されて先端部が前記トラバースユニットの基板後部の上面に当接する上面側保持片と、前記フレームの側面部、後面部のいずれか他方の内面から突出したアーム状に形成されて先端部が前記トラバースユニットの基板後部の下面に当接する下面側保持片とからなり、前記両保持片それぞれの前記先端部より基部側に前記弾性部としての曲がり部を有することが好ましい（請求項２）。
【００１９】
又、前記保持部が、前記フレームの後面部の内面から突出した前記弾性部としての基部と、前記基部から前記トラバースユニットの基板後部を上下方向から挟むように延出して前記当接部を形成する上側アーム部及び下側アーム部とからなり、前記両アーム部が前記トラバースユニットの基板後部の上、下面それぞれに当接することも好ましい（請求項３）。
【発明の効果】
【００２０】
請求項１の発明によれば、ディスク装置の装置筐体としての樹脂製のフレームに保持部が一体に形成され、前記保持部の弾性部から延出した当接部がトラバースユニットの後部に上下方向から挟むように当接し、トラバースユニットをフレームに連結する。
【００２１】
そのため、トラバースユニットをフレームに連結する際に、フレームやトラバースユニットと別体のゴム製のダンパー等の高価な緩衝部材や締結固定手段（ねじ）は不要であり、ねじ止めの作業等も不要になる。
【００２２】
したがって、ディスク装置の部品数を従来より削減してディスク装置のコストダウンを図ることができると共に組み立ての作業効率の改善を図ることができる。
【００２３】
又、請求項１に係る請求項２の発明によれば、前記保持部の上面側保持片と下面側保持片がフレームの側面部、後面部のいずれか一方、他方から直交するように内方にアーム状に突出してトラバースユニットを挟持し、かつ、両保持片の先端部より基部側の曲がり部が前記弾性部を形成して振動を吸収する。
【００２４】
そのため、請求項１の効果を奏する一層具体的な構成のディスク装置のトラバース保持構造を提供することができる。
【００２５】
さらに、請求項１に係る請求項３の発明によれば、前記保持部の基部から延出した上側アーム部及び下側アーム部がトラバースユニットの後部の上、下面それぞれに当接してトラバースユニットを挟持し、かつ、前記基部が振動を吸収する。
【００２６】
そのため、請求項１の効果を奏する一層具体的な他の構成のディスク装置のトラバース保持構造を提供することができる。
【発明を実施するための最良の形態】
【００２７】
次に、本発明をより詳細に説明するため、その実施形態について、図１〜図１８にしたがって詳述する。
【００２８】
（第１の実施形態）
まず、請求項２に対応する第１の実施形態について、図１〜図９を参照して説明する。
【００２９】
図１はトラバースユニット２の後部をフレーム３Ａに一体に形成した保持部によって保持した構造を示す本実施形態のディスク装置１Ａの天面側の一方向から見た斜視図、図２は同ディスク装置１Ａの天面側の他の方向から見た斜視図、図３は同ディスク装置１Ａの底面側から見た斜視図である。
【００３０】
図４、図５はそれぞれ同ディスク装置１Ａの平面図、底面図であり、図６は同ディスク装置１Ａの保持部近傍を拡大した図であり、図６（ａ）は部分斜視図、図６（ｂ）は部分平面図である。
【００３１】
図７、図８はそれぞれ同ディスク装置１Ａのトラバースユニット２を取り外した状態の斜視図、平面図である。図９は同ディスク装置１Ａのトラバースユニット２を取り外した状態の保持部近傍を拡大した図であり、図９（ａ）は部分斜視図、図９（ｂ）は部分平面図である。
【００３２】
それらの図面において、３Ａはディスク装置１Ａの外観を形成する装置筐体としてのフレームであり、前面部３ａ、左右の側面部３ｂ、３ｃ及び後面部３ｄを有する概略矩形枠状に形成されている。
【００３３】
そして、フレーム３Ａの前面部３ａにはトレイ４が出入りする横長のトレイ開口５が形成されている。尚、トレイ４はトラバースユニット２が上下動可能なように中央部が大きく切り欠かれている。
【００３４】
又、フレーム３Ａの左、右の側面部３ｂ、３ｃは、それぞれの前、後端部の外側に取り付け脚６が一体に形成されている。
【００３５】
さらに、フレーム３Ａの概略中央上部は金属製又は樹脂製の天板７で覆われ、この天板７はフレーム３Ａの側面部３ｂ、３ｃの上端溝にはめ込んで取り付けられ、その中央前寄りに形成された開口８の端縁に上述のクランパ９が回転自在に係止されている。
【００３６】
ところで、ディスク装置１Ａは、フレーム３Ａの上面、下面を樹脂板等で覆った密閉形状であってもよいが、ここでは、例えばＤＶＤレコーダ、ＤＶＤプレーヤ、ＣＤプレーヤ等の化粧キャビネット内に収容して用いられるため、完全な密閉形状ではなく、上述したようにフレーム３Ａの上部は天板７により部分的に覆われている。
【００３７】
次に、フレーム３Ａの内側においては、トレイ４の下部前方にトレイ４の引き出し・引き込みの搬送を行なう送りモータ１０及びギヤ機構等が設けられ、それらの後方にトラバースユニット２が位置する。
【００３８】
尚、モータ１０及びギヤ機構等は図３、図５に示すように、フレーム３Ａの前部底面のリブ板３ｅに取り付けられている。
【００３９】
一方、トラバースユニット２は、周知のトラバースユニットと同様、前側の樹脂製のホルダー部材（図示せず）と、このホルダー部材に前部が連結された金属製の基板（シャーシ）１１とからなる。
【００４０】
そして、前記ホルダー部材は後方に開口した縦断面コ字形の横長の形状であり、前面中央部に外方に突出した突出部（ボス）を有し、この突出部がトレイ４の下部のスライドカム板の溝に嵌入している。
【００４１】
又、基板１１の前部は概略前記ホルダー部材と接合する形状であり、前記ホルダー部材の左右端部と基板１１の左右端部とが振動緩衝部材としてのゴム製のダンパーを介してねじ止めされ、これによって前記ホルダー部材と基板１１とが連結されている。
【００４２】
一方、基板１１の後部はフレーム３Ａに連結されて前部側の上下動の支点を形成し、この連結によってトラバースユニット２がフレーム３Ａ内に保持されるが、その保持構造は、従来のようなゴム製のダンパー等の振動緩衝部材を介してフレーム３Ａにねじ止めする構造ではなく、フレーム３Ａに一体に形成した左、右の保持部１２ａ、１２ｂに基板１１の後部の左、右を係止して連結する構造である。
【００４３】
さらに詳しくは、図６、図９に示すように、保持部１２ａ、１２ｂはそれぞれ、フレーム３Ａの側面部３ｂ、３ｃの内面からアーム状に突出して先端部１３ａがトラバースユニット２の基板１１の後部の左端又は右端の上面に当接する上面側保持片１３と、フレーム３Ａの後面部３ｄの内面からアーム状に突出して先端部１４ａがトラバースユニット２の基板１１の後部の下面に当接する下面側保持片１４とからなる。
【００４４】
そして、保持部１２ａの上面側保持片１３と下面側保持片１４とは上下方向の位置が若干ずれた状態で交差するように横方向、前後方向に突出し、保持部１２ａの当接部を形成する上面側保持片１３の先端部１３ａ及び下面側保持片１４の先端部１４ａが基板１１の後部左端の上面、下面それぞれの接近した位置に当接して基板１１を挟むように保持する。
【００４５】
同様に、保持部１２ｂの上面側保持片１３と下面側保持片１４とは上下方向の位置が若干ずれた状態で交差するように横方向、前後方向に突出し、保持部１２ｂの当接部を形成する上面側保持片１３の先端部１３ａ及び下面側保持片１４の先端部１４ａが基板１１の後部右端の上、下面それぞれの接近した位置に当接して基板１１を挟むように保持する。
【００４６】
ところで、保持部１２ａ、１２ｂにおいて、上面側保持片１３の先端部１３ａの下面及び下面側保持片１４の先端部１４ａの上面には凸部１３ｂ、１４ｂがそれぞれ形成されている。
【００４７】
そして、保持部１２ａ、１２ｂの凸部１３ｂは基板１１の後部上面に当接し、保持部１２ａ、１２ｂの凸部１４ｂは基板１１の後部左、右に形成された置決め用の孔部１５、１６に嵌入する。この嵌入により、簡単に保持部１２ａ、１２ｂと基板１１との当接の位置決めが行なわれると共に、保持部１２ａ、１２ｂと基板１１とが強固に係止される。
【００４８】
その結果、フレーム３Ａに一体に形成された保持部１２ａ、１２ｂにより、トラバースユニット２の後端部が正確に位置決めされた状態でフレーム３Ａに連結される。
【００４９】
又、保持部１２ａ、１２ｂそれぞれの上面側保持片１３は中央部が上方に突き出したコ字状に折曲され、上下方向及び左右方向の振動を吸収して減衰する弾性特性の曲がり部１３ｃを形成し、同様に、下面側保持片１４は中央部が下方に突出したコ字状に折曲され、下方向及び前後方向の振動を吸収して減衰する弾性特性の曲がり部１４ｃを形成する。
【００５０】
そして、保持部１２ａ、１２ｂの曲がり部１３ｃ、１４ｃが保持部１２ａ、１２ｂそれぞれの弾性部を形成し、これらの弾性部を介してトラバースユニット２の後端部がフレーム３Ａに連結されるので、トラバースユニット２の内外の三次元（前後、左右、上下）の振動が前記弾性部で吸収されて抑制され、前記弾性部が従来構造のゴム製のダンパーと同等以上の振動減衰機能を発揮する。
【００５１】
ところで、保持部１２ａ、１２ｂ等を含むフレーム３Ａは、いわゆる射出成形等によって容易かつ安価に一体成形することができる。
【００５２】
尚、上述のようにして後端部がフレーム３Ａに連結されたトラバースユニット２の基板１１には、記録再生（又は再生）のピックアップユニット（図示せず）、ディスク回転用のターンテーブル（図示せず）等の主要部品が組み付けられている。
【００５３】
ピックアップユニットは図１等に示す基板１１の左、右のガイドレール１７ａ、１７ｂに対して摺動可能に取り付けられ、モータ１８の駆動力が伝達されることにより前記ガイドレール１７ａ、１７ｂに沿ってピックアップユニットが前後動する。又、ターンテーブルは下部のスピンドルモータによって回転する。
【００５４】
そして、図１のように引き出されたトレイ４にディスクが載置されてトレイ４がディスク装置１Ａ内に引き込まれ、ディスクがディスク装置１Ａ内部の所定位置に到達すると、トラバースユニット２はフレーム３Ａと連結した基板１１後部を支点にして前部側が上動し、このトラバースユニット２の上動により、ディスクの略中央に形成された開口部に前記ターンテーブルが記録面側（下面側）から嵌合してトラバースユニット２がさらに上動し、前記ターンテーブルの上部対向位置のクランパ９がディスクのレーベル面側（上面側）より押圧する状態でディスクを挟持する。
【００５５】
さらに、この状態で前記ターンテーブルが回転してディスクが回転すると共に、前記ピックアップが移動してディスクの記録や再生が行なわれる。
【００５６】
この記録や再生において、トラバースユニット２の外部からの振動及びトラバースユニット２における振動は、保持部１２ａ、１２ｂの弾性部（曲がり部１３ｃ、１４ｃ）によって良好に吸収されて減衰される。
【００５７】
そして、本実施形態の場合、トラバースユニット２の後部の左、右をフレーム３Ａと一体に形成した保持部１２ａ、１２ｂによってフレーム３Ａに連結し、トラバースユニット２をフレーム３Ａに保持すると共に、保持部１２ａ、１２ｂの弾性部（曲がり部１３ｃ、１４ｃ）によって振動を吸収するする構造としたため、従来構造では必須のゴム製のダンパー等の別部品の高価な振動の緩衝部材や締結固定手段のねじ等を省くことができ、ディスク装置１Ａのコストダウン及び組み立て作業性の改善を図ることが可能となる。
【００５８】
しかも、保持部１２ａ、１２ｂにおける下面側保持片１４の当接部１４ａの凸部１４ｂを基板１１の後部左、右の孔部１５、１６それぞれに嵌入することで、簡単に保持部１２ａ、１２ｂと基板１１との当接の位置決めが行なわれると共に、保持部１２ａ、１２ｂと基板１１とが強固に係止されて、トラバースユニット２がフレーム３Ａに一層確実に保持される。
【００５９】
（第２の実施形態）
次に、請求項３に対応する第２の実施形態について、図１０〜図１８を参照して説明する。
【００６０】
図１０はトラバースユニット２の後部をフレーム３Ｂに一体に形成した保持部によって保持した構造を示す本実施形態のディスク装置１Ｂの天面側の一方向から見た斜視図、図１１は同ディスク装置１Ｂの天面側の他の方向から見た斜視図、図１２は同ディスク装置１Ｂの底面側から見た斜視図である。
【００６１】
図１３、図１４はそれぞれ同ディスク装置１Ｂの平面図、底面図であり、図１５は同ディスク装置１Ｂの保持部近傍を拡大した図であり、図１５（ａ）は部分斜視図、図１５（ｂ）は部分平面図である。
【００６２】
図１６、図１７はそれぞれ同ディスク装置１Ｂのトラバースユニット２を取り外した状態の斜視図、平面図である。
【００６３】
図１８は同ディスク装置１Ｂのトラバースユニット２を取り外した状態の保持部近傍を拡大した図であり、図１８（ａ）は部分斜視図、図１８（ｂ）は部分平面図である。
【００６４】
これらの図面（図１０〜図１８）において、図１〜図９と同一の符号を付したものは同一又は相当するものを示す。
【００６５】
そして、本実施形態のディスク装置１Ｂが、前記第１の実施形態のディスク装置１Ａと異なる点は、例えば図１０〜図１４に示すように、第１の実施形態のフレーム３Ａと同様のフレーム３Ｂにトラバースユニット２の後部を連結して保持する構造を、前記第１の実施形態の保持部１２ａ、１２ｂを用いた構造から、フレーム３Ｂに一体に形成された保持部１９ａ、１９ｂを用いた構造に代えた点である。
【００６６】
保持部１９ａ、１９ｂは、フレーム３Ｂの後面部３ｄの内面の左、右の位置それぞれから前方に突出した同一の形状の部材であり、保持部１９ａを拡大した図１５、図１８に示すように、フレーム３Ｂの後面部３ｄの内面から前方に突出した基部２０と、この基部２０からトラバースユニット２の基板１１後部を挟持するように延出した上側アーム部２１及び下側アーム部２２とからなる。
【００６７】
そして、基部２０は、概略短い角柱状突起に右側に開放した上下方向の割り溝２０ａと左側に開放した上下方向の割り溝２０ｂを順に形成した形状であり、割り溝２０ａ、２０ｂを形成することで、前後、左右、上下の振動を吸収して減衰し、保持部１９ａ、１９ｂの弾性部を形成する。
【００６８】
又、下側アーム部２２は基部２０の先端下部の右寄りの部分から延出した扁平な形状であり、上側アーム部２１は基部２０の先端上部の下側アーム部２２より左側の部分から腕木状に延出し、保持部１９ａ、１９ｂの両アーム部２１、２２が保持部１９ａ、１９ｂそれぞれの当接部を形成する。
【００６９】
そして、保持部１９ａの両アーム部２１、２２が基板１１の後部左端の上、下面それぞれの接近した位置に当接して基板１１を挟むように保持し、同様に、保持部１９ｂの両アーム部２１、２２が基板１１の後部右端の上、下面それぞれの接近した位置に当接して基板１１を挟むように保持する。
【００７０】
さらに、上側アーム部２１の先端の下面には前記第１の実施形態の凸部１３ｂに相当する下向きの凸部２１ａが一体に形成され、下側アーム部２２の先端の上面には前記第１の実施形態の凸部１４ｂに相当する上向きの凸部２２ａが一体に形成されている。
【００７１】
そして、保持部１９ａ、１９ｂの両アーム部２１、２２が基板１１の後部の前記した上、下面それぞれの接近した位置に当接すると、保持部１９ａ、１９ｂの凸部２２ａが基板１１の後部左、右の孔部１５、１６それぞれに嵌入する。
【００７２】
尚、保持部１９ａ、１９ｂ等を含むフレーム３Ｂも、いわゆる射出成形等によって容易かつ安価に一体成形することができる。
【００７３】
したがって、本実施形態の場合は、フレーム３Ｂの後面部３ｄの左、右に形成した保持部１９ａ、１９ｂにより、前記第１の実施形態の場合と同様にしてトラバースユニット２の後端部がフレーム３Ｂに連結され、前記第１の実施形態の場合と同様の効果を奏する。
【００７４】
そして、本発明は上記した実施形態に限定されるものではなく、その趣旨を逸脱しない範囲において上述したもの以外に種々の変形実施を行なうことが可能であり、例えば、第１の実施形態において、保持部１２ａ、１２ｂそれぞれの上面側保持片１３の先端部１３ａ、下面側保持片１４の先端部１４ａのいずれか一方の凸部１３ｂ（又は１４ｂ）のみを形成して基板１１の孔部に嵌入する構成であってもよく、又、両方の凸部１３ｂ、１４ｂを基板１１の対応するそれぞれの孔部に嵌入する構成であってもよい。さらに、凸部１３ｂ、１４ｂを形成する代わりに上面側保持片１３、下面側保持片１４の少なくともいずれか一方に係止フックを形成し、トラバースユニット２にそれらの係止フックが係合する係合孔を形成しても同様の効果を奏することができる。
【００７５】
そして、前記第２の実施形態においても、同様に、保持部１９ａ、１９ｂそれぞれのアーム部２１、２２のいずれか一方にのみ凸部２１ａ（又は２２ａ）を形成し、基板１１の孔部に嵌入する構成であってもよく、両方の凸部２１ａ、２２ａを基板１１の対応するそれぞれの孔部に嵌入する構成であってもよい。さらに、凸部２１ａ、２２ａを形成する代わりにアーム部２１、２２のいずれか一方に係止フックを形成し、トラバースユニット２にそれらの係止フックが係合する係合孔を形成してもよいのは勿論である。
【００７６】
又、トラバースユニット２の後部をフレーム３Ａ（又は３Ｂ）に連結するための保持部の形状や個数、トラバースユニット２の当接位置等はどのようであってもよく、例えば、トラバースユニット２の後部中央を、保持部１２ａ（又は１２ｂ）或いは保持部１９ａ（又は１９ｂ）のような１個の保持部によってフレーム３Ａ（又は３Ｂ）に連結する構造であってもよい。
【００７７】
そして、本発明は、種々のディスク装置のトラバースユニットをフレームに連結して保持する構造に適用することができる。
【図面の簡単な説明】
【００７８】
【図１】本発明の第１の実施形態におけるトラバースユニットの後端部をフレームに形成した保持部によって保持した構造を示すディスク装置の一方向から見た天面側斜視図である。
【図２】同上、トラバースユニットの後端部をフレームに形成した保持部によって保持した構造を示すディスク装置の他の方向から見た天面側斜視図である。
【図３】同上、トラバースユニットの後端部をフレームに形成した保持部によって保持した構造を示すディスク装置の底面側斜視図である。
【図４】同上、トラバースユニットの後端部をフレームに形成した保持部によって保持した構造を示すディスク装置の平面図である。
【図５】同上、トラバースユニットの後端部をフレームに形成した保持部によって保持した構造を示すディスク装置の底面図である。
【図６】同上、保持部近傍を示す拡大図であり、図６（ａ）は保持部近傍の部分斜視図、図６（ｂ）は保持部近傍の部分平面図である。
【図７】同上、トラバースユニットを取り外した状態を示すディスク装置の斜視図である。
【図８】同上、トラバースユニットを取り外した状態を示すディスク装置の平面図である。
【図９】同上、トラバースユニットを取り外した状態を示す保持部近傍の拡大図であり、図９（ａ）は保持部近傍の部分斜視図、図９（ｂ）は保持部近傍の部分平面図である。
【図１０】本発明の第２の実施形態におけるトラバースユニットの後端部をフレームに形成した保持部によって保持した構造を示すディスク装置の一方向から見た天面側斜視図である。
【図１１】同上、トラバースユニットの後端部をフレームに形成した保持部によって保持した構造を示すディスク装置の他の方向から見た天面側斜視図である。
【図１２】同上、トラバースユニットの後端部をフレームに形成した保持部によって保持した構造を示すディスク装置の底面側斜視図である。
【図１３】同上、トラバースユニットの後端部をフレームに形成した保持部によって保持した構造を示すディスク装置の平面図である。
【図１４】同上、トラバースユニットの後端部をフレームに形成した保持部によって保持した構造を示すディスク装置の底面図である。
【図１５】同上、保持部近傍を示す拡大図であり、図１５（ａ）は保持部近傍の部分斜視図、図１５（ｂ）は保持部近傍の部分平面図である。
【図１６】同上、トラバースユニットを取り外した状態を示すディスク装置の斜視図である。
【図１７】同上、トラバースユニットを取り外した状態を示すディスク装置の平面図である。
【図１８】同上、トラバースユニットを取り外した状態を示す保持部近傍の拡大図であり、図１８（ａ）は保持部近傍の部分斜視図、図１８（ｂ）は保持部近傍の部分平面図である。
【符号の説明】
【００７９】
１Ａ、１Ｂ    ディスク装置
２    トラバースユニット
３Ａ、３Ｂ    フレーム
３ａ    前面部
３b、３ｃ    側面部
３ｄ    後面部
１１    基板
１２ａ、１２ｂ、１９ａ、１９ｂ    保持部
１３    上面側保持片
１４    下面側保持片
１３ａ、１４ａ    先端部
１３ｂ、１４ｂ、２１ａ、    凸部
１３ｃ、１４ｃ    曲がり部
２０    基部
２１    上側アーム部
２２    下側アーム部
【図１】
2007272946.tif 000003
【図２】
2007272946.tif 000004
【図３】
2007272946.tif 000005
【図４】
2007272946.tif 000006
【図５】
2007272946.tif 000007
【図６】
2007272946.tif 000008
【図７】
2007272946.tif 000009
【図８】
2007272946.tif 000010
【図９】
2007272946.tif 000011
【図１０】
2007272946.tif 000012
【図１１】
2007272946.tif 000013
【図１２】
2007272946.tif 000014
【図１３】
2007272946.tif 000015
【図１４】
2007272946.tif 000016
【図１５】
2007272946.tif 000017
【図１６】
2007272946.tif 000018
【図１７】
2007272946.tif 000019
【図１８】
2007272946.tif 000020